【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
ネットワークにおける前記UEと1つまたは複数の他のUEとの間の混合干渉を測定するために、少なくとも1つのサブフレームの構成に関する情報を受信するステップであって、前記混合干渉は、アップリンクからダウンリンクへの干渉またはダウンリンクからアップリンクへの干渉を指し、前記構成が、前記少なくとも1つのサブフレーム内で前記UEによって基準信号を測定するための第1のパターンと、前記少なくとも1つのサブフレーム内で前記UEによって基準信号を送信するための第2のパターンとを指定する、ステップと、
前記第1のパターンに従って基準信号を測定するステップと、
前記第2のパターンに従って前記1つまたは複数の他のUEに基準信号を送信するステップと、
前記測定された基準信号に基づいて、前記UEと前記1つまたは複数の他のUEとの間の干渉を決定するステップと
を含む、方法。
【請求項２】
前記構成が、前記ネットワークにおける前記UEと前記1つまたは複数の他のUEとの間の前記混合干渉を測定するための前記少なくとも1つのサブフレームの出現の時間に関する情報をさらに含む、請求項1に記載の方法。
【請求項３】
前記少なくとも1つのサブフレームの出現の前記時間が、前記ネットワークにおける前記UEのモビリティに基づいている、請求項2に記載の方法。
【請求項４】
基準信号を送信するための前記第2のパターンが、基準信号を送信するための前記少なくとも1つのサブフレーム内のタイムスロットの少なくとも1つのセットを示し、
基準信号を測定するための前記第1のパターンが、基準信号を受信するための前記少なくとも1つのサブフレーム内のタイムスロットの少なくとも別のセットを示す、請求項1に記載の方法。
【請求項５】
基準信号を送信するための前記第2のパターンが、基準信号を送信するためのタイムスロットの前記少なくとも1つのセットの間に周波数リソースの少なくとも1つのセットをさらに示し、
基準信号を測定するための前記第1のパターンが、基準信号を受信するためのタイムスロットの前記少なくとも別のセットの間に周波数リソースの少なくとも1つのセットを示す、請求項4に記載の方法。
【請求項６】
前記測定された干渉に基づいて、前記UEと前記1つまたは複数の他のUEの各々との間の干渉プロファイルに関するジャミング情報を決定するステップと、
前記ジャミング情報に基づいてジャミンググラフを生成するステップと
をさらに含む、請求項1に記載の方法。
【請求項７】
基地局(BS)によるワイヤレス通信のための方法であって、
ネットワークにおける前記BSと1つまたは複数の他のBSとの間の混合干渉を測定するための少なくとも1つのサブフレームの構成に関する情報を受信するステップであって、前記混合干渉は、アップリンクからダウンリンクへの干渉またはダウンリンクからアップリンクへの干渉を指し、前記構成が、前記少なくとも1つのサブフレーム内で前記BSによって基準信号を測定するための第1のパターンと、前記少なくとも1つのサブフレーム内で前記BSによって基準信号を送信するための第2のパターンとを指定する、ステップと、
前記第1のパターンに従って基準信号を測定するステップと、
前記第2のパターンに従って前記1つまたは複数の他のBSに基準信号を送信するステップと、
前記測定された基準信号に基づいて、前記BSと前記1つまたは複数の他のBSとの間の干渉を決定するステップと
を含む、方法。
【請求項８】
ネットワークにおける1つまたは複数のユーザ機器(UE)間の混合干渉を測定するための少なくとも1つのサブフレームの構成に関する情報を決定するステップと、
前記情報を前記1つまたは複数のUEにシグナリングするステップと
をさらに含む、請求項7に記載の方法。
【請求項９】
前記構成が、前記ネットワークにおける前記BSと前記1つまたは複数の他のBSとの間の前記混合干渉を測定するための、前記少なくとも1つのサブフレームの出現の時間に関する情報をさらに含む、請求項7に記載の方法。
【請求項１０】
基準信号を送信するための前記第2のパターンが、基準信号を送信するための前記少なくとも1つのサブフレーム内のタイムスロットの少なくとも1つのセットを示し、
基準信号を測定するための前記第1のパターンが、基準信号を受信するための前記少なくとも1つのサブフレーム内のタイムスロットの少なくとも別のセットを示す、請求項7に記載の方法。
【請求項１１】
基準信号を送信するための前記第2のパターンが、基準信号を送信するためのタイムスロットの前記少なくとも1つのセットの間に周波数リソースの少なくとも1つのセットをさらに示し、
基準信号を測定するための前記第1のパターンが、基準信号を受信するためのタイムスロットの前記少なくとも別のセットの間に周波数リソースの少なくとも1つのセットを示す、請求項10に記載の方法。
【請求項１２】
前記測定された干渉に基づいて、前記BSと前記1つまたは複数の他のBSの各々との間の干渉プロファイルに関するジャミング情報を決定するステップと、
前記ジャミング情報に基づいてジャミンググラフを生成するステップと
をさらに含む、請求項7に記載の方法。
【請求項１３】
ユーザ機器(UE)によるワイヤレス通信のための装置であって、
ネットワークにおける前記UEと1つまたは複数の他のUEとの間の混合干渉を測定するための少なくとも1つのサブフレームの構成に関する情報を受信するための手段であって、前記混合干渉は、アップリンクからダウンリンクへの干渉またはダウンリンクからアップリンクへの干渉を指し、前記構成が、前記少なくとも1つのサブフレーム内で前記UEによって基準信号を測定するための第1のパターンと、前記少なくとも1つのサブフレーム内で前記UEによって基準信号を送信するための第2のパターンとを指定する、手段と、
前記第1のパターンに従って基準信号を測定するための手段と、
前記第2のパターンに従って前記1つまたは複数の他のUEに基準信号を送信するための手段と、
前記測定された基準信号に基づいて、前記UEと前記1つまたは複数の他のUEとの間の干渉を決定するための手段と
を備える、装置。
【請求項１４】
基地局(BS)によるワイヤレス通信のための装置であって、
ネットワークにおける前記BSと1つまたは複数の他のBSとの間の混合干渉を測定するための少なくとも1つのサブフレームの構成に関する情報を受信するための手段であって、前記混合干渉は、アップリンクからダウンリンクへの干渉またはダウンリンクからアップリンクへの干渉を指し、前記構成が、前記少なくとも1つのサブフレーム内で前記BSによって基準信号を測定するための第1のパターンと、前記少なくとも1つのサブフレーム内で前記BSによって基準信号を送信するための第2のパターンとを指定する、手段と、
前記第1のパターンに従って基準信号を測定するための手段と、
前記第2のパターンに従って前記1つまたは複数の他のBSに基準信号を送信するための手段と、
前記測定された基準信号に基づいて、前記BSと前記1つまたは複数の他のBSとの間の干渉を決定するための手段と
を備える、装置。
【請求項１５】
コンピュータによって実行されると、前記コンピュータに、請求項1乃至6または請求項7乃至12のいずれか1項に記載の方法を実行させるコンピュータ実行可能コードを記録したコンピュータ可読記録媒体。